(57)【要約】【課題】小型・軽量化を図りつつ、ソーチェーンの安定した張力調整を行うことができるチェーンソーの張力調整機構を提供すること。【解決手段】ソーチェーンガイドプレート８と、軸方向一端面に円柱状突起３が設けられた張力調整ギヤ２と、該張力調整ギヤ２に噛合し且つ軸方向一端面に円柱状突起５が設けられた張力懸架ギヤ４と、該張力懸架ギヤ４と同軸回転する駆動盤１１を含んでチェーンソーの張力調整機構を構成し、駆動盤１１を回わして張力調整ギヤ２と張力張架ギヤ４を回転させ、張力調整ギヤ２に設けられた突起３に端部の一部が当接するソーチェーンガイドプレート８を移送し、該張力調整ギヤ２でのソーチェーンガイドプレート８の移送が終了すると同時又は直前に、張力懸架ギヤ４に設けられた突起５がソーチェーンガイドプレート８の端部の別の一部に当接して該ソーチェーンガイドプレート８を更に移送するよう構成する。【選択図】図１
2007045082.tif 000002
【特許請求の範囲】
【請求項１】
ソーチェーンをガイドするソーチェーンガイドプレートと、軸方向一端面に円柱状の突起が設けられた張力調整ギヤと、該張力調整ギヤに噛合し且つ軸方向一端面に円柱状の突起が設けられた張力懸架ギヤと、該張力懸架ギヤと同軸回転する駆動盤を備え、
前記駆動盤を回わして前記張力調整ギヤと前記張力張架ギヤを回転させ、張力調整ギヤに設けられた前記突起に端部の一部が当接する前記ソーチェーンガイドプレートを移送し、該張力調整ギヤでのソーチェーンガイドプレートの移送が終了すると同時又は直前に、前記張力懸架ギヤに設けられた突起がソーチェーンガイドプレートの端部の別の一部に当接して該ソーチェーンガイドプレートを更に移送することを特徴とするチェーンソーの張力調整機構。
【請求項２】
前記張力懸架ギヤの中心を貫通するスクリューロッドを備えた固定座と前記駆動盤とをボルトによる締め付けによって固定することができる調整ノブを設け、該調整ノブを回転させて前記固定座と前記張力張架ギヤの圧接状態を解除した後に前記駆動盤を回して前記ソーチェーンガイドプレートを移送せしめることを特徴とする請求項１記載のチェーンソーの張力調整機構。
【発明の詳細な説明】
【技術分野】
【０００１】
本発明は、工具を用いることなくソーチェーンの張力を調整することができるチェーンソーの張力調整機構に関するものである。
【背景技術】
【０００２】
従来のチェーンソーには工具を用いることなくソーチェーンの張力調整が行えるものがあり、このようなチェーンソーにおいては、ソーチェーンの張力調整のための駆動盤の回転操作をソーチェーンガイドプレートの移送動作に変換するために、１つのギヤの回転面に設けられた突起を利用するか、１つのカム状の円盤の外周面を利用して移送の変位を発生させ、ソーチェーンに適当な張力を与えながらソーチェーンガイドプレートを固定する構成が採用されている（特許文献１参照）。
【特許文献１】特許第２７２９５８２号公報
【発明の開示】
【発明が解決しようとする課題】
【０００３】
従来のチェーンソーにおけるソーチェーンの張力調整機構においては、１つの回転盤によってソーチェーンガイドプレートの移送動作と該ソーチェーンガイドプレートの固定動作を行わなければならないため、理論的に回転盤の直径距離以上の移送量を設定することができず、事実上、ソーチェーンガイドプレートの移送量が回転盤の半径距離程度に制限されてしまう。
【０００４】
従って、ソーチェーンガイドプレートの移送と固定を安定させるために必要十分な距離を事実上半径とした回転盤が必要となり、その回転盤が回転するため、移送距離方向以外に対してもその回転空間が必要となり、チェーンソー全体が大きくならざるを得ないという問題があった。
【０００５】
本発明は上記問題に鑑みてなされたもので、その目的とする処は、小型・軽量化を図りつつ、ソーチェーンの安定した張力調整を行うことができるチェーンソーの張力調整機構を提供することにある。
【課題を解決するための手段】
【０００６】
上記目的を達成するため、請求項１記載の発明は、ソーチェーンをガイドするソーチェーンガイドプレートと、軸方向一端面に円柱状の突起が設けられた張力調整ギヤと、該張力調整ギヤに噛合し且つ軸方向一端面に円柱状の突起が設けられた張力懸架ギヤと、該張力懸架ギヤと同軸回転する駆動盤を含んでチェーンソーの張力調整機構を構成し、前記駆動盤を回わして前記張力調整ギヤと前記張力張架ギヤを回転させ、張力調整ギヤに設けられた前記突起に端部の一部が当接する前記ソーチェーンガイドプレートを移送し、該張力調整ギヤでのソーチェーンガイドプレートの移送が終了すると同時又は直前に、前記張力懸架ギヤに設けられた突起がソーチェーンガイドプレートの端部の別の一部に当接して該ソーチェーンガイドプレートを更に移送することを特徴とする。
【０００７】
請求項２記載の発明は、請求項１記載の発明において、前記張力懸架ギヤの中心を貫通するスクリューロッドを備えた固定座と前記駆動盤とをボルトによる締め付けによって固定することができる調整ノブを設け、該調整ノブを回転させて前記固定座と前記張力張架ギヤの圧接状態を解除した後に前記駆動盤を回して前記ソーチェーンガイドプレートを移送せしめることを特徴とする。
【発明の効果】
【０００８】
本発明によれば、ソーチェーンガイドプレートを張力調整ギヤと張力張架ギヤによって２段階で移送させることによってソーチェーンの張力調整量を拡大することができるため、小型・軽量化を図りつつ、ソーチェーンの安定した張力調整を行うことができる。
【発明を実施するための最良の形態】
【０００９】
以下に本発明の実施の形態を図１〜図３に基づいて説明する。
【００１０】
図１は本発明に係るチェーンソー要部の分解斜視図、図２はチェーンソーの駆動盤の斜視図、図３（ａ）〜（ｅ）は本発明に係るチェーンソーにおけるソーチェーンガイドプレートの移送時系列動作図である。
【００１１】
図１において、７は固定座であり、この固定座７には、スプロケット１と張力調整ギヤ２及び張力張架ギヤ４が回転自在に支持されている。
【００１２】
ここで、上記張力調整ギヤ２と張力張架ギヤ４とは互いに噛合しており、これらの軸方向一端面には円柱状の突起３，５がそれぞれ突設されている。又、固定座７にはスクリューロッド６が立設されており、このスクリューロッド６は、前記張力懸架ギヤ４の中心を貫通している。
【００１３】
８はソーチェーン９をガイドするためのソーチェーンガイドプレートであって、その一端には二股状を成す長短のアーム部８ａ，８ｂが形成されている。
【００１４】
１０はカバーであって、このカバー１０は、前記固定座７に固定されることによってスプロケット１と、張力調整ギヤ２及び張力張架ギヤ４と、ソーチェーン９及びソーチェーンガイド８の一部を覆う。
【００１５】
１１は張力懸架ギヤ４と同軸回転する駆動盤であり、この駆動盤１１には、図２に示すように、張力張架ギヤ４に係合する回転係止部１４を備えている。
【００１６】
１２は座金付六角ボルトであって、この座金付六角ボルト１２は、前記スクリューロッド６端部に螺合し、調整ノブ１３によって該座金付六角ボルト１２を回すことによって張力調整ギヤ４を固定座７に圧接し或は圧接状態を解除することができる。
【００１７】
次に、本発明に係る張力調整機構によるソーチェーン９の張力調整要領を図３に基づいて説明する。
【００１８】
ソーチェーン９の張力調整に際しては、調整ノブ１３を回転させて固定座７と張力張架ギヤ４の圧接状態を解除した後に駆動盤１１を回す。
【００１９】
図３（ａ）に示す状態においては、張力調整ギヤ２に設けられた円柱状の突起３とソーチェーンガイドプレート８の長い側のアーム部８ａの端部とが当設している。回転盤１１によって張力懸架ギヤ４を矢印Ａ方向に回転させると、該張力懸架ギヤ４に噛合する張力調整ギヤ２は矢印Ｂ方向に回転し、この回転によって、張力調整ギヤ２の突起３に当接したソーチェーンガイドプレート８が図３（ｂ），（ｃ）に示すように矢印Ｃ方向へ移送される。
【００２０】
そして、図３（ｃ）に示すように、張力調整ギヤ２の突起３によるソーチェーンガイドプレート８の移送動作が終了する直前において、続いて張力懸架ギヤ４に設けられた突起５がソーチェーンガイドプレート８の短い側のアーム部８ｂの端部と当接し、駆動盤１１の回転によって、図３（ｃ），（ｄ）に示すように、引き続きソーチェーンガイドプレート８が矢印Ｃ方向へ移送され、図３（ｅ）に示す時点付近でソーチェーンガイドプレート８の移送動作が完了する。
【００２１】
従って、本発明に係る張力調整機構によれば、ソーチェーンガイドプレート８の移送は張力調整ギヤ２と張力張架ギヤ４によって２段階になされるため、その移送量は１つの回転体の直径を超えることができる。このため、ソーチェーン９の張力を適正にするための必要十分なソーチェーンガイドプレート８の移送量を確保するための回転体の直径を短くすることができ、これにより、移送方向と直角をなす方向の回転空間距離を短くすることができる。この結果、チェーンソーの小型・軽量化を図りつつ、ソーチェーン９の安定した張力調整を行うことができる。
【図面の簡単な説明】
【００２２】
【図１】本発明に係るチェーンソー要部の分解斜視図である。
【図２】チェーンソーの駆動盤の斜視図である。
【図３】（ａ）〜（ｅ）は本発明に係るチェーンソーにおけるソーチェーンガイドプレートの移送時系列動作図である。
【符号の説明】
【００２３】
１  スプロケット
２  張力調整ギヤ
３  円柱状突起
４  張力懸架ギヤ
５  円柱状突起
６  スクリューロッド
７  固定座
８  ソーチェーンガイドプレート
９  ソーチェーン
１０  カバー
１１  駆動盤
１２  座金付六角ナット
１３  調整ノブ
１４  駆動盤の回転係止部
【図１】
2007045082.tif 000003
【図２】
2007045082.tif 000004
【図３】
2007045082.tif 000005